(57)【要約】【課題】  ＨＤＤレコーダ等の録画機器に非常に多数の番組コンテンツが保存されている場合でも、所望する番組コンテンツを効率良く検索できる録画番組管理装置を提供する。【解決手段】  ＨＤＤレコーダ等の録画機器において、追加特殊文字検出手段により検出された追加特殊文字情報をタイトル情報に付加して番組リスト表示画面を生成するとともに、追加特殊文字情報に基づいて番組リスト表示画面におけるタイトル情報を並び替え可能とした。【選択図】図５
2008123611.tif 000002
【特許請求の範囲】
【請求項１】
録画した番組コンテンツの番組情報に基づいて、表示装置へ出力する番組コンテンツの選択画面を表示させる表示制御手段を備えた録画番組管理装置であって、
前記表示制御手段は、
前記録画した番組コンテンツのタイトル情報を複数のリスト枠の中に表示させた番組リスト表示画面を生成する番組リスト生成手段と、
前記番組リスト表示画面におけるタイトル情報を所定の条件に従って並び替える番組リスト並び替え手段と、
前記タイトル情報に、番組情報の文字セットとして予め運用が規定された追加特殊文字情報が付加されているか否かを判別する追加特殊文字検出手段と、を有し、
前記番組リスト生成手段は、前記録画した番組コンテンツの中から、タイトル情報に特定の追加特殊文字情報が付加されている番組コンテンツを抽出し、前記追加特殊文字情報をタイトル情報に付加して番組リスト表示画面を生成可能で、
前記番組リスト並び替え手段は、前記タイトル情報の先頭に付加されている追加特殊文字情報又は前記タイトル情報に基づいて、前記番組リスト表示画面におけるタイトル情報を並び替え可能であることを特徴とする録画番組管理装置。
【請求項２】
録画した番組コンテンツの番組情報に基づいて、表示装置へ出力する番組コンテンツの選択画面を表示させる表示制御手段を備えた録画番組管理装置であって、
前記表示制御手段は、
前記録画した番組コンテンツのタイトル情報を複数のリスト枠の中に表示させた番組リスト表示画面を生成する番組リスト生成手段と、
前記番組リスト表示画面におけるタイトル情報を所定の条件に従って並び替える番組リスト並び替え手段と、
前記タイトル情報に、番組情報の文字セットとして予め運用が規定された追加特殊文字情報が付加されているか否かを判別する追加特殊文字検出手段と、を有し、
前記番組リスト生成手段は、前記追加特殊文字検出手段により検出された追加特殊文字情報をタイトル情報に付加して番組リスト表示画面を生成可能で、
前記番組リスト並び替え手段は、前記追加特殊文字情報に基づいて、前記番組リスト表示画面におけるタイトル情報を並び替え可能であることを特徴とする録画番組管理装置。
【請求項３】
前記番組リスト並び替え手段は、前記タイトル情報の先頭に付加されている追加特殊文字情報に基づいて、前記番組リスト表示画面におけるタイトル情報を並び替え可能であることを特徴とする請求項２に記載の録画番組管理装置。
【請求項４】
前記番組リスト生成手段は、前記録画した番組コンテンツの中から、タイトル情報に追加特殊文字情報が付加されている番組コンテンツを抽出して、当該番組コンテンツのタイトル情報及び追加特殊文字情報を前記番組リスト表示画面に表示可能であることを特徴とする請求項２又は３に記載の録画番組管理装置。
【請求項５】
前記番組リスト生成手段は、前記録画した番組コンテンツの中から、タイトル情報に特定の追加特殊文字情報が付加されている番組コンテンツを抽出して、当該番組コンテンツのタイトル情報及び追加特殊文字情報を前記番組リスト表示画面に表示可能であることを特徴とする請求項４に記載の録画番組管理装置。
【請求項６】
前記番組リスト並び替え手段は、タイトル情報に追加特殊文字情報が付加されている場合に、前記タイトル情報に基づいて、前記番組リスト表示画面におけるタイトル情報を並び替え可能であることを特徴とする請求項２から５の何れかに記載の録画番組管理装置。
【請求項７】
前記番組リスト並び替え手段によって前記タイトル情報に基づいて前記番組リスト表示画面におけるタイトル情報が並び替えられた場合に、
前記番組リスト生成手段は、タイトル情報に付加されている追加特殊文字情報を前記番組リスト表示画面に表示させないことを特徴とする請求項６に記載の録画番組管理装置。
【発明の詳細な説明】
【技術分野】
【０００１】
本発明は、ＨＤＤなどの大容量記憶装置を備えた録画機器において、録画した番組コンテンツの情報を視聴者に選択可能な状態で表示させる録画番組管理装置に関する。
【背景技術】
【０００２】
近年、ＨＤＤレコーダのように、大容量のＨＤＤ（ハードディスクドライブ）等を使用することによって、非常に多数の番組コンテンツを保存できる録画機器が提供されている。このような録画機器により、受信した番組コンテンツをいったんＨＤＤに蓄積してから再生するというサーバ型放送が実現される。このサーバ型放送では、番組コンテンツとこれに関する仔細な追加情報とを、ＨＤＤなどの大容量記憶装置に保存するので、蓄積された番組コンテンツを予め指定した時刻から視聴できるようにしたり、追加情報を利用してシーン検索やダイジェスト視聴を行ったりすることが可能となる。
【０００３】
このようなサーバ型放送に対応可能な録画機器において、録画した番組コンテンツを再生させる場合には、再生する番組コンテンツを視聴者に選択させるための選択画面（いわゆるＥＣＧ（Electronic Content Guide:電子コンテンツ案内））を表示させ、この画面で所望の番組コンテンツを視聴者に選択させるのが一般的である。
【０００４】
また、このＥＣＧでは、例えば、番組コンテンツの録画された日時に基づいて、新しい順に上から番組タイトル等がリスト表示される。このとき、番組コンテンツの番組タイトルや内容を表示するのに番組情報に含まれる文字セットが使用される。この文字セットには、漢字、英数字、平仮名、片仮名の他、ＡＲＩＢ（（社）電波産業界）等によって予め運用が規定された追加特殊文字がある。
【０００５】
ここで、追加特殊文字とは、新聞等のラジオ・テレビ欄において四角枠で囲まれた文字と同様な表示をするために使用されるもので、数十以上の文字が規定されている。例えば、四角枠で囲まれたＳ（ステレオ放送）や四角枠で囲まれた二（二カ国語放送）などがある。
【０００６】
また、追加特殊文字は、例えば番組タイトルに付加され、番組タイトルを構成する文字セットの一部として定義及び使用されている。なお、本明細書中、追加特殊文字を［］で表記する（例えば、ステレオ放送は［Ｓ］）。
【０００７】
従来、ＥＣＧでは、番組タイトルに追加特殊文字を付加した表示形態で番組コンテンツを提示可能となっている。また、ＥＣＧにおいて追加特殊文字のガイドを提示し、視聴者が追加特殊文字の意味を容易に理解できるようにした技術が開示されている（例えば、特許文献１〜３）。
【特許文献１】特開２００５−１９８０３９号公報
【特許文献２】特開２００４−３５７１８４号公報
【特許文献３】特開２００３−１８９２０７号公報
【発明の開示】
【発明が解決しようとする課題】
【０００８】
ところで、近年の記憶媒体の大容量化に伴い、録画機器において保存できる番組コンテンツ数は、例えば５００個を超える場合があるなど非常に大きな数になっている。また、サーバ型放送が普及してくると、番組コンテンツが提供される伝送経路は、従来の地上ディジタル放送、ＢＳ放送、ＣＳ放送等の放送電波に限らず、インターネット通信が利用されることも考えられ、視聴者に提供される番組コンテンツはさらに増加するものと考えられる。
【０００９】
このように、録画した番組コンテンツが相当数におよぶ場合に、ＥＣＧにおいて番組タイトル等の番組コンテンツに関する情報を録画日時順にリスト表示させると、このリスト表示は１画面で収まるはずもなく、数十ページや百ページ近くになることがありうる。このように、従来のＥＣＧでは、録画機器に膨大な数の番組コンテンツが保存されている場合に、所望の番組コンテンツを検索すること自体が煩雑な作業となっていた。
【００１０】
一方、従来のＥＣＧは、所定のキーワードを含む（或いは含まない）番組コンテンツを抽出して、その番組コンテンツに関する情報をリスト表示させる、いわゆるキーワード検索のような機能を備えているが、番組タイトル（例えば、番組タイトルの先頭文字の文字コード）に基づいて並び替えて番組コンテンツに関する情報をリスト表示させるという機能は備えていない。ただし、パソコン分野で利用されているデータ名での並び替え技術を利用することで、ＥＣＧにおいて番組タイトルで並び替えを行うことができると考えられる。
【００１１】
しかしながら、ＥＣＧにおいて、番組タイトルに付加されている追加特殊文字は、番組タイトルの一部として表示されているにすぎず、キーワード検索や番組タイトルに基づく並び替えの対象にはならない。つまり、特定の視聴者にとって追加特殊文字が有用であったとしても、番組の検索に有効に利用されていないのが現状である。すなわち、視聴者が、二カ国語放送番組や手話放送番組、字幕放送番組等を視聴したい場合であっても、これらの番組を効率よく検索することはできなかった。
【００１２】
また、追加特殊文字は省略化・簡略化された表示形態であるため、視聴者は一見してその意味を理解することが困難な場合もあり、番組タイトルに付加して表示することが必ずしも有効であるとはいえない。このような場合、視聴者は、ＥＣＧにおいて追加特殊文字が表示されることに対して煩わしさを感じる虞がある。
【００１３】
本発明は、ＨＤＤレコーダ等の録画機器に相当数の番組コンテンツが保存されている場合でも、所望する番組コンテンツを効率良く検索できる録画番組管理装置を提供することを目的とする。
【課題を解決するための手段】
【００１４】
本発明は、上記目的を達成するため、録画した番組コンテンツの番組情報に基づいて、表示装置へ出力する番組コンテンツの選択画面を表示させる表示制御手段を備えた録画番組管理装置であって、前記表示制御手段は、前記録画した番組コンテンツのタイトル情報（録画日時を含んでもよい）を複数のリスト枠の中に表示させた番組リスト表示画面（録画番組リスト）を生成する番組リスト生成手段と、前記番組リスト表示画面におけるタイトル情報を所定の条件に従って並び替える番組リスト並び替え手段と、前記タイトル情報に、番組情報の文字セットとして予め運用が規定（例えばＡＲＩＢ規格）された追加特殊文字情報が付加されているか否か（タイトル情報の先頭、途中等、追加特殊文字情報が付加されている箇所は不問）を判別する追加特殊文字検出手段と、を有し、前記番組リスト生成手段は、前記追加特殊文字検出手段により検出された追加特殊文字情報をタイトル情報に付加して番組リスト表示画面を生成可能で、前記番組リスト並び替え手段は、前記追加特殊文字情報（文字コード）に基づいて、前記番組リスト表示画面におけるタイトル情報を並び替え可能であることを特徴とする。
【００１５】
これにより、番組リスト表示画面（いわゆるＥＣＧ）において、追加特殊文字による番組検索が可能となるので、ＥＣＧの使い勝手が向上する。
【００１６】
また、前記番組リスト並び替え手段は、前記タイトル情報の先頭に付加されている追加特殊文字情報に基づいて、前記番組リスト表示画面におけるタイトル情報を並び替え可能とした。すなわち、番組タイトルの中間に追加特殊文字が付加されている場合（例えば、「５．１［ＳＳ］オーケストラｉｎ東京」のような場合）は、当該追加特殊文字を並び替えに利用しないこととした。
【００１７】
これにより、追加特殊文字情報を含んでいても先頭文字による番組タイトルの並び替えと同等になるので、番組リスト表示画面において所望の番組コンテンツを検索するのが容易になる。
【００１８】
また、前記番組リスト生成手段は、前記録画した番組コンテンツの中から、タイトル情報に追加特殊文字情報が付加されている番組コンテンツを抽出して、当該番組コンテンツのタイトル情報及び追加特殊文字情報を前記番組リスト表示画面に表示可能とした。
【００１９】
これにより、タイトル情報に追加特殊文字情報が付加されている番組コンテンツだけを抽出することができるので、視聴者が所望する番組コンテンツが決まっている場合等（例えば、二カ国語放送番組や手話放送番組、字幕放送番組等）に有効である。
【００２０】
さらに、前記番組リスト生成手段は、前記録画した番組コンテンツの中から、タイトル情報に特定の追加特殊文字情報（例えば、［二］（二カ国語放送）、［手］（手話放送）、［字］（字幕放送）等）が付加されている番組コンテンツを抽出して、当該番組コンテンツのタイトル情報及び追加特殊文字情報を前記番組リスト表示画面に表示可能とした。
【００２１】
これにより、視聴者が所望する番組コンテンツ（例えば、二カ国語放送番組や手話放送番組、字幕放送番組等）を、さらに効率よく検索することが可能となる。
【００２２】
また、前記番組リスト並び替え手段は、タイトル情報に追加特殊文字情報が付加されている場合に、前記タイトル情報に基づいて、前記番組リスト表示画面におけるタイトル情報を並び替え可能とした。
すなわち、タイトル情報に追加特殊文字情報が付加されていても、視聴者にとっては必要ない場合があるので、タイトル情報による並び替えを可能にした。
【００２３】
また、前記番組リスト生成手段は、タイトル情報に付加させた追加特殊文字情報を前記番組リスト表示画面に表示させないようにしてもよい。
【００２４】
これにより、番組リスト表示画面に、番組タイトルとして余計な追加特殊文字は表示されなくなるので、視聴者が追加特殊文字の表示に対して煩わしさを感じるのを回避できる。
【００２５】
また、番組リスト生成手段は、録画した番組コンテンツの中から、タイトル情報に追加特殊文字情報が付加されていない番組コンテンツを抽出して、当該番組コンテンツのタイトル情報を番組リスト表示画面に表示できるようにしてもよい。
【発明の効果】
【００２６】
本発明によれば、ＨＤＤレコーダ等の録画機器において、表示制御手段は、録画した番組コンテンツのタイトル情報を複数のリスト枠の中に表示させた番組リスト表示画面（いわゆるＥＣＧ）を生成する番組リスト生成手段と、番組リスト表示画面におけるタイトル情報を所定の条件に従って並び替える番組リスト並び替え手段と、タイトル情報に、番組情報の文字セットとして予め運用が規定された追加特殊文字情報が付加されているか否かを判別する追加特殊文字検出手段と、を有し、番組リスト生成手段は、追加特殊文字検出手段により検出された追加特殊文字情報をタイトル情報に付加して番組リスト表示画面を生成可能で、番組リスト並び替え手段は、追加特殊文字情報に基づいて、番組リスト表示画面におけるタイトル情報を並び替え可能としたので、番組リスト表示画面において、追加特殊文字による番組検索が可能となりＥＣＧの使い勝手が格段に向上するうえ、追加特殊文字情報を有効利用できる。
【００２７】
特に、視聴者が、二カ国語放送番組や手話放送番組、字幕放送番組等の特定の追加特殊文字が付加された番組タイトルを検索する場合に有効である。
【発明を実施するための最良の形態】
【００２８】
以下、本発明の実施の形態を図面に基づいて説明する。
図１は、本発明に係る録画番組管理装置を搭載した録画装置の全体構成を示すブロック図である。
本実施形態の録画装置１は、例えば地上ディジタル放送、ＢＳ放送、ＣＳ放送の３つの放送波を受信可能なハードディスクレコーダである。録画装置１は、アンテナ１０により受信した放送信号（地上ディジタル放送、ＢＳ放送、ＣＳ放送）を選択的に入力するディジタルチューナなどの受信部１１と、受信した放送データからコンテンツ情報（映像データおよび音声データ）と番組情報とを分離する番組情報分離部１２と、録画番組のコンテンツ情報や、録画番組の管理データとしての番組付帯情報（追加情報，メタデータ）などを記録する記憶媒体としてのハードディスク１３と、録画時に受信部１１側から送られてくるコンテンツ情報をハードディスク１３に書き込んだり再生時にハードディスク１３からコンテンツ情報を読み出したりするコンテンツ制御部１４と、再生又は放送受信したコンテンツ情報をデコードして映像信号と音声信号を生成するデコード部１５と、録画した番組コンテンツの番組情報を管理してハードディスク１３に書き込んだり読み出したりする番組情報管理制御部１６と、該番組情報管理制御部１６から番組コンテンツの管理データを受けて後述のメニュー画面や録画番組リストの表示画面の表示信号を生成するメニュー表示制御部１７と、デコード部１５やメニュー表示制御部１７からの表示信号を選択的に出力したり多重化して出力する多重化部１８、等を備えている。
【００２９】
これらの構成のうち、番組情報管理制御部１６とメニュー表示制御部１７により、本発明に係る表示制御手段が構成されている。
すなわち、表示制御手段としての番組情報管理制御部１６と、メニュー表示制御部１７は、録画した番組コンテンツのタイトル情報（録画日時情報等を含んでもよい）を複数のリスト枠の中に表示させた番組リスト表示画面（録画番組リスト）を生成する番組リスト生成手段、番組リスト表示画面におけるタイトル情報を所定の条件に従って並び替える番組リスト並び替え手段、タイトル情報に番組情報の文字セットとして予め運用が規定された追加特殊文字情報が付加されているかを判別する追加特殊文字検出手段、としての機能する。
【００３０】
なお、リスト表示画面の表示データを生成する構成は、主にＣＰＵが実行するソフトウェアにより構成され、それを表示信号に変換する構成はハードウェアにより構成されている。
【００３１】
コンテンツ制御部１４は、例えば、録画予約の制御や録画番組の削除処理（対象のコンテンツ情報をハードディスク１３から消去する処理）なども行う。また、リアルタイム操作による録画時や予約録画時には、番組情報管理制御部１６に番組録画することを通知して録画番組の番組情報を管理データに追加させる。また、録画番組の削除処理を行ったときには、番組情報管理制御部１６に削除したことを通知して、対応する録画番組の番組情報を管理データから削除させる。
【００３２】
また、図示は省略するが、この録画装置１には、リモートコントローラ（以下、リモコンと呼ぶ）と、このリモコンからの信号を受信する受光器が設けられ、リモコン信号が番組情報管理制御部１６やコンテンツ制御部１４に送られるようになっている。リモコンには、メニューボタン、カーソル移動用の上下左右ボタン、決定ボタンのほか、種々の操作ボタンが設けられている。
【００３３】
図２は、放送番組の番組情報の一例を示すデータチャートである。
地上ディジタル放送などでは、図２に示すように、トランスポートストリームと呼ばれるパケットデータにより、放送番組のコンテンツ情報（映像データや音声データ）が伝送される他、放送番組の各種情報が格納された番組付帯情報が伝送される。番組情報管理制御部１６は、ディジタル放送信号に含まれる番組付帯情報から番組コンテンツの番組情報を取得し、管理する。
【００３４】
例えば、番組付帯情報のパケットには、番組のタイトル情報や番組の詳細情報（出演者やストーリ紹介など）を示したテキストデータ、番組の放送時間に関するデータなど、種々の番組情報が格納されている。ここで、テキストデータには、漢字、英数字、平仮名、片仮名の他、ＡＲＩＢ（（社）電波産業界）等によって予め運用が規定された追加特殊文字が用いられる。例えば、追加特殊文字には、ステレオ放送を示す［Ｓ］や二カ国語放送を示す［二］等がある。
【００３５】
なお、番組コンテンツの番組情報は、このトランスポートストリームに含まれる番組付帯情報から取得するのに限らず、例えば、放送信号やインターネットで配信されている電子番組表等から録画した番組コンテンツの番組情報を抽出することで取得するなど、種々の取得方法を適用することができる。
【００３６】
番組情報管理制御部１６は、上述した番組情報のうちコンテンツ制御部１４により録画された番組コンテンツの番組情報を管理してハードディスク１３の所定領域に格納し、必要なときにそれを読み出して各番組情報の中から所定情報を抽出してリスト配列したり、メニュー表示制御部１７に情報を送って所定形態の表示データを生成させたりする。
【００３７】
以下、図面を参照しながら、表示制御手段（番組情報管理制御部１６とメニュー表示制御部１７）により生成されるメニュー画面や録画番組リストの表示画面の内容について説明する。
【００３８】
図３は、録画番組管理表示のメニュー画面の一例を示す画像図である。本実施形態の録画装置１では、視聴者が例えば再生のために所定の番組コンテンツを検索する場合に、先ず、リモコンのメニューボタン等を押して所定操作を行うことにより、図３のような録画番組管理表示のメニュー画面３０が表示される。
【００３９】
このメニュー画面３０は、録画番組リストの表示方法を視聴者に選択させる画面であり、複数の表示方式の中から一つを選択させるための表示選択ボタン３１〜３７と、この画面を終了させる終了ボタン３８と、受け付けられるリモコンキーを示した説明表示３９とが、それぞれ表示されている。
【００４０】
表示選択ボタン３１〜３７には、例えば、番組コンテンツに関する情報を録画日時順にリスト表示（通常の表示）させる選択ボタン３１と、ジャンル別にリスト表示させるの選択ボタン３２と、ネットワーク別・放送局別、系列局別に表示させる選択ボタン３３と、番組タイトル名別にリスト表示させる選択ボタン３４と、放送時間帯別にリスト表示させる選択ボタン３５と、録画曜日別にリスト表示させる選択ボタン３６と、録画継続時間別にリスト表示させる選択ボタン３７とが設けられている。
【００４１】
例えば、この録画番組管理表示のメニュー画面３０において、視聴者がリモコンの上下ボタンを操作して何れかの選択ボタン３１〜３７を選択し、且つ、決定ボタンを押すことで、この選択決定した表示方法によるリスト表示画面に移行する。図３では、番組タイトル名別に表示させる選択ボタン３４がフォーカス（太線表示）され、選択された状態であることを示している。この番組タイトル名別表示によるリスト表示画面において、本願に係る発明を適用することができる。
【００４２】
図４は、録画日時順の録画番組リストの一表示例を示す画像図である。図３のメニュー画面３０において、例えば、「通常の表示」の選択ボタン３１が選択・決定された場合に、図４に示す録画番組リストの表示画面４０に移行する。
【００４３】
図４に示す録画番組リストの表示画面４０は、最上部に配置された表示画面のタイトル表示枠４１と、録画番組のリスト表示が行われる画面中央から左下隅まで占める第１表示枠４３と、この第１表示枠４３の上部に配置され選択された番組コンテンツの詳細情報が表示される第２表示枠４２と、第１表示枠４３に表示されている番組コンテンツの中から所定の番組コンテンツが選択された場合（図４では最上段の番組コンテンツが選択されている）に選択可能とされる操作ボタン４４ａ〜４４ｈが表示されている第３表示枠４４と、で構成されている。なお、図４中、操作ボタン４４ａ〜４４ｈは、操作可能なボタンを実線で、操作不能なボタンを点線で表している。
【００４４】
第１表示枠４３には、横長の複数のリスト枠４３ａ〜４３ｇが縦方向に配列されるとともに、各リスト枠４３ａ〜４３ｇにそれぞれの番組コンテンツの主要情報として、「ＮＥＷ」の表示／非表示により当該番組コンテンツを視聴したか否かを示す情報ＳＩ１、録画日時情報ＳＩ２、番組タイトル情報ＳＩ３、が表示される。
【００４５】
図４の録画番組リスト表示画面４０では、番組コンテンツは録画日時の新しい順に配列されており、視聴者はリモコンの上下ボタンを操作することで、リスト枠４３ａ〜４３ｇの選択を上下に移動させたり、リスト枠４３ａ〜４３ｇのページをスクロール或いはページ送りを行ったりすることができる。なお、選択されたリスト枠は文字と枠内の色が変ったり反転表示されたりすることで視聴者が認識できるようにされている（図４では反転表示により選択状態を示している）。従来のＥＣＧにおいては、このように録画日時順に番組コンテンツに関する情報がリスト表示されるのが一般的であった。
【００４６】
図５は、番組タイトル名別の録画番組リストの一表示例であり、番組タイトルに追加特殊文字を付加して表示するときの画像図である。例えば、図３のメニュー画面３０において、視聴者が「番組タイトル名別表示」の選択ボタン３３を選択・決定した場合に、図５に示す録画番組リストの表示画面５０に移行する。
【００４７】
図５に示す録画番組リストの表示画面５０において、表示枠及び操作ボタンの構成は、図４に示す録画番組リスト表示画面４０とほぼ同様である。ただし、番組タイトルに追加特殊文字が付加されている番組コンテンツのみを表示させるための操作ボタン５４ｅと、番組タイトルに追加特殊文字を表示させるか否かを切り替えるための操作ボタン５４ｇが有効化されている点が異なる。
【００４８】
図５では、追加特殊文字情報を含めてタイトル名順に番組コンテンツを並び替えて表示している。つまり、表示制御手段としての番組情報管理制御部１６とメニュー表示制御部１７は、タイトル情報に追加特殊文字情報が付加されている場合に、検出された追加特殊文字情報をタイトル情報に付加して録画番組リストを生成するとともに、追加特殊文字情報に基づいて録画番組リストにおける番組コンテンツを並び替える。
【００４９】
また、本実施形態では、タイトル情報の先頭に付加されている追加特殊文字情報に基づいて番組リスト表示画面５０におけるタイトル情報を並び替えている。つまり、番組コンテンツ５３ａのように、番組タイトルの中間に追加特殊文字が付加されている場合は、当該追加特殊文字を並び替えには利用していない。
【００５０】
具体的には、番組コンテンツ５３ａ〜５３ｃについては、先頭の文字の文字コードが参照され、番組コンテンツ５３ｄ〜５３ｇについては、先頭の追加特殊文字情報の文字コードが参照され、これらの文字コードを比較して降順に並び替えて表示されている。
【００５１】
このように、図５の録画番組リスト表示画面５０では、番組コンテンツは番組タイトル名順（追加特殊文字有り）に配列されており、視聴者はリモコンの上下ボタンを操作することで、リスト枠５３ａ〜５３ｇの選択を上下に移動させたり、リスト枠５３ａ〜５３ｇのページをスクロール或いはページ送りを行ったりすることができる。なお、選択されたリスト枠は文字と枠内の色が変ったり反転表示されたりすることで視聴者が認識できるようにされている（図５では反転表示により選択状態を示している）。
【００５２】
図５に示す録画番組リスト表示画面５０によれば、録画番組リストにおいて、番組タイトルに付加された追加特殊文字により番組コンテンツが並び替えられ、同じ追加特殊文字を付加された番組コンテンツがまとまって表示されることとなるので、追加特殊文字による番組検索が容易となり、録画番組リストの使い勝手が向上する。
【００５３】
また、番組タイトルに追加特殊文字情報を含んでいても、あくまで先頭文字により番組タイトルの並び替えとし、番組タイトルの中間に付加されている追加特殊文字情報は並び替えの対象として利用しないので、番組リスト表示画面５０において所望の番組コンテンツを検索するのが容易になる。
【００５４】
図６は、番組タイトル名別の録画番組リストの一表示例であり、番組タイトルに追加特殊文字を付加しないで表示するときの画像図である。例えば、図５の番組録画リスト５０において、視聴者が「特殊文字有無切換」の選択ボタン５４ｇを選択・決定した場合に、図６に示す録画番組リストの表示画面６０に移行する。
図６に示す録画番組リストの表示画面５０において、表示枠及び操作ボタンの構成は、図５に示す録画番組リスト表示画面５０と同様である。
【００５５】
図６では、追加特殊文字情報を表示させず、純粋なタイトル名順で番組コンテンツを並び替えて表示している。つまり、表示制御手段としての番組情報管理制御部１６とメニュー表示制御部１７は、タイトル情報に追加特殊文字情報が付加されている場合に、追加特殊文字情報ではなくタイトル情報（の文字コード）に基づいて録画番組リストにおける番組コンテンツを並び替えるようにしている。また、このとき、タイトル情報に付加された追加特殊文字情報を録画番組リストに表示しないようにしている。
【００５６】
例えば、番組タイトルに追加特殊文字情報を付加した場合の録画番組リストと、番組タイトルに追加特殊文字情報を付加しない場合の録画番組リストを予め別々に用意することで、図５と図６に示す録画番組リストの切換を容易に実行させることができる。
【００５７】
図６の録画番組リスト表示画面６０では、番組コンテンツは番組タイトル名順（追加特殊文字なし）に配列されており、視聴者はリモコンの上下ボタンを操作することで、リスト枠５３ａ〜５３ｇの選択を上下に移動させたり、リスト枠５３ａ〜５３ｇのページをスクロール或いはページ送りを行ったりすることができる。なお、選択されたリスト枠は文字と枠内の色が変ったり反転表示されたりすることで視聴者が認識できるようにされている（図６では反転表示により選択状態を示している）。
【００５８】
このように、図６に示す録画番組リスト表示画面によれば、純粋なタイトル情報による並び替えを可能にしているので、視聴者にとって追加特殊文字を表示させる必要がない場合に対応できる。また、追加特殊文字情報自体を録画番組リストに表示させないので、視聴者が追加特殊文字の表示に対して煩わしさを感じるのを回避できるうえ、タイトル情報として表示可能な文字数を増やすことができる。
【００５９】
図７は、番組タイトル名別の録画番組リストの一表示例であり、番組タイトルに追加特殊文字が付加されている番組コンテンツだけを表示するときの画像図である。例えば、図５の番組録画リスト５０において、視聴者が「特殊文字のみ」の選択ボタン５４ｅを選択・決定した場合に、図７に示す録画番組リストの表示画面７０に移行する。
【００６０】
図７に示す録画番組リストの表示画面７０において、表示枠及び操作ボタンの構成は、図５に示す録画番組リスト表示画面５０とほぼ同様である。ただし、操作ボタン７４ｅ（図５の操作ボタン５４ｅに対応）の表示が「標準」になっている点が異なる。すなわち、図７に示す録画番組リストにおいて、操作ボタン７４ｅを選択・決定した場合には、図５に示す録画番組リストの表示画面５０に移行することとなる。
【００６１】
図７では、番組タイトルとして追加特殊文字情報が付加されている番組コンテンツの情報だけが、番組タイトル名順に並び替えて表示されている。図５と比較すると、番組タイトルに追加特殊文字情報が付加されていない番組コンテンツ５３ｂ，５３ｃは、図７では表示されていないことが分かる。
【００６２】
つまり、表示制御手段としての番組情報管理制御部１６とメニュー表示制御部１７は、タイトル情報に追加特殊文字情報が付加されている番組コンテンツだけを抽出して、当該番組コンテンツのタイトル情報および追加特殊文字情報を録画番組リストに表示するようにしている。
【００６３】
図７の録画番組リスト表示画面７０では、番組コンテンツは番組タイトル名順（追加特殊文字のみ）に配列されており、視聴者はリモコンの上下ボタンを操作することで、リスト枠５３ａ〜５３ｇの選択を上下に移動させたり、リスト枠５３ａ〜５３ｇのページをスクロール或いはページ送りを行ったりすることができる。なお、選択されたリスト枠は文字と枠内の色が変ったり反転表示されたりすることで視聴者が認識できるようにされている（図７では反転表示により選択状態を示している）。
【００６４】
このように、図７に示す録画番組リスト表示画面によれば、タイトル情報に追加特殊文字情報が付加されている番組コンテンツだけが抽出されるので、視聴者が所望する番組コンテンツが決まっている場合等（例えば、二カ国語放送番組や手話放送番組、字幕放送番組）に効率よく番組コンテンツを検索することができる。
【００６５】
なお、本発明は、上記実施の形態に限られるものではなく、様々な変更が可能である。例えば、上記実施形態では、メニュー画面３０から所定の選択ボタンを選択・決定することで、それぞれの録画番組リスト表示画面に移行するようにしたが、メニュー画面３０を介さずに一発で録画番組リスト表示画面に移行するようにしてもよい。また、録画番組リスト表示画面（図４〜図７）を出力させる操作はどのようなものであってもよい。
【００６６】
また、図７のように、タイトル情報に追加特殊文字情報が付加されている番組コンテンツをすべて抽出して表示させるだけでなく、さらに、特定の追加特殊文字情報が付加されている番組コンテンツだけを抽出して表示させるようにしてもよい。
【００６７】
また、番組コンテンツが提供される伝送経路は、地上ディジタル放送、ＢＳ放送、ＣＳ放送等の放送電波に限らず、インターネット通信を利用する場合もありうる。
【００６８】
その他、録画番組が保存される記憶媒体の種類、管理する番組情報を記録する媒体や記録方法など、実施の形態で示した具体的な構成は、発明の趣旨を逸脱しない範囲で適宜変更可能である。
【産業上の利用可能性】
【００６９】
本発明は、例えば、放送番組の録画機器に適用することができる。また、外部の録画機器を制御する機能を有したテレビ受像機やチューナ装置などの各種ＡＶ（オーディオビジュアル）装置に適用することもできる。
【図面の簡単な説明】
【００７０】
【図１】本発明に係る録画番組管理装置を搭載した録画装置の全体構成を示すブロック図である。
【図２】放送番組の番組情報の一例を示すデータチャートである。
【図３】録画番組管理表示のメニュー画面の一例を示す画像図である。
【図４】録画日時順の録画番組リストの一表示例を示す画像図である。
【図５】番組タイトル名別の録画番組リストの一表示例であり、番組タイトルに追加特殊文字を付加して表示するときの画像図である。
【図６】番組タイトル名別の録画番組リストの一表示例であり、番組タイトルに追加特殊文字を付加しないで表示するときの画像図である。
【図７】番組タイトル名別の録画番組リストの一表示例であり、番組タイトルに追加特殊文字が付加されている番組コンテンツだけを表示するときの画像図である。
【符号の説明】
【００７１】
１  録画装置
１０  アンテナ
１１  受信部（チューナ）
１２  番組情報分離部
１３  ハードディスク
１４  コンテンツ制御部
１５  デコード部
１６  番組情報管理制御部
１７  メニュー表示制御部
１８  多重化部
【図１】
2008123611.tif 000003
【図２】
2008123611.tif 000004
【図３】
2008123611.tif 000005
【図４】
2008123611.tif 000006
【図５】
2008123611.tif 000007
【図６】
2008123611.tif 000008
【図７】
2008123611.tif 000009